(57)【要約】      （修正有）【課題】パンツ、バミューダパンツ、スカート、ドレスまた同様な他のもののいずれであっても、特に、座るときや立つとき、ウエストでの曲げを要する他の動きを行うときに、美観を損なわず、快適にウエストバンドを自動的に調節できる衣類用ウエストバンドの構造を提供する。【解決手段】衣類１用ウエストバンドの構造は、ウエストバンドを前セグメント３ａおよび後セグメント３ｂの２つのセグメントに分割する割り込み部２に弾性装置を設けている。両セグメントは各側部の２つのポケット４および５と組み合わせられており、２つ目のもの５が最初のもの４の後ろにあって、内側ポケットを構成しており、それがその内壁６ａに前記内壁の上縁を２つの水平部８ａおよび８ｂに分割する「Ｖ字」切込み部７を有している。【選択図】図２
0003198074.tif 000002
【実用新案登録請求の範囲】
【請求項１】
パンツ、バミューダパンツ、スカート、ドレスまたは同様な他のもののいずれであってもよい男性用または女性用の衣類（１）に、前記衣類（１）の左右両側部の弾性装置が、特に座ったり立ったり、ウエストでの曲げを要する他の動きを行っているときに、前記衣類を２以上のサイズに増減して、前記衣類（１）を使用者にとってより快適にさせながらウエストバンドを自動的に調節させるのに十分なように、前記ウエストバンドを前セグメント（３ａ）および後セグメント（３ｂ）の２つのセグメントに分割している割り込み部（２）に前記弾性装置を含められるように開発された衣類用ウエストバンドの構造であって、
前記衣類（１）の各側部で、前記弾性装置は各側部の２つのポケット（４）および（５）と合わせて実施されており、２つ目のものが最初のものの後ろにあって、前記内側ポケット（５）を構成しており、それがその内壁（６ａ）にその内壁の上縁を第１水平部（８ａ）および第２水平部（８ｂ）に分割した「Ｖ字」切込み部（７）を有しており、そこに前記割り込み部（２）部分が固定されており、前記割り込み部（２）は前記ウエストバンドセグメント（３ａおよび３ｂ）の重なり合う２つの延長部、内側の延長部（９）および外側の延長部（１０）によって規定されており、前記内側の延長部（９）はその下縁が前記ポケット（５）の内壁（６ａ）の一方の半部、すなわち第１水平半部（８ａ）に固定されているのに対し、前記外側の延長部（１０）は前記第２水平部（８ｂ）を構成している他方の半部に同様に固定されており、この場合、前記ポケット（５）の他の前壁（６ｂ）上縁も固定されており、その壁（６ｂ）は前記ポケット（５）の内壁（６ａ）の「Ｖ字」切込み部（７）を覆うかまたは埋め込むのに十分に広がり、また内側の延長部（９）はその自由端部が前方に向いて、同じ整列線上で伸長するゴムバンド（１１）の対応する端部と相互接続されており、そのゴムバンド（１１）の他方端部は前記前ウエストバンドセグメント（３ａ）の内側に固定されて、その構造は他方の外側の延長部（１０）で同様に繰り返されて、その自由端部が後方に向いて、ゴムバンド（１２）が前記後ウエストバンドセグメント（３ｂ）の前記外側に同様に固定されており、その箇所に、前記ゴムバンド（１２）および前記外側延長部（１０）の前記対応する端部が埋め込まれて、小さなポケット（１３）として布地の一部の中で動くことを特徴とする、衣類用ウエストバンドの構造。
【考案の詳細な説明】
【技術分野】
【０００１】
本考案は、フォーマルであってもなくても、ジーンズなどを含めて一般な衣類のウエストバンドで使用されるように特に開発されている。本考案は、いくつかのスタイルでは１２ｃｍに達する２以上のより大きなサイズにウエスト部位を自動調節する弾性手段の特徴を考慮し、衣類を使用者にとってより快適にする技術的および機能的改良に関するものである。
【背景技術】
【０００２】
現在、ウエストの周りにゴムバンドが設けられてデザインされた非常に多様な衣類があり、ある場合にはベルトの着用を省くためである一方で、他の場合には、例えば以下の特許文献が教示するように、ウエストバンドが弾性装置によって伸縮し、衣類を使用者にとってより快適にするようにデザインされている。
【先行技術文献】
【特許文献】
【０００３】
【特許文献１】ブラジル特許出願公開第ＰＩ７２３６１号 (23/03/1954, APERFEICOAMENTO EM COS DE CALCAS)
【特許文献２】ブラジル特許出願公開第ＰＩ６４１５８号 (18/04/1958, APERFEICOAMENTO NAS CALCAS DE CINTURA ELASTICA)
【特許文献３】フランス特許出願公開第２６９２１１３ Ａ１号
【特許文献４】ブラジル実用新案出願公開第ＭＵ７７６２９号(01/02/1995, DISPOSITIVO ELASTICO PARA CINTAR CALCAS)
【特許文献５】ブラジル実用新案出願公開第ＭＵ７５００６９９号(25/04/1995, DISPOSITIVO FLEXIVEL APLICADO EM COS)
【特許文献６】ブラジル特許出願公開第ＰＩ０６１４８３７号
【特許文献７】ブラジル特許出願公開第ＰＩ０８０１５３５号
【考案の概要】
【考案が解決しようとする課題】
【０００４】
従来の装具は、パンツのウエスト部位を自動的に調節する弾性手段と、身体が動いている間にそのサイズが増減する手段とを規定し、衣類を使用者にとってより快適にしていることは確かだが、やがて、当該目的を達成する構造上のディテールが目立つだけでなく、弾性手段がウエストバンドの構造上のディテールによって隠れることができないかまたは覆われることができない箇所に位置付けられているために、衣類のデザインを悪い方に妨げることが分かってきた。
【０００５】
従来のスタイルでは、ゴムバンドにしわを作る見た目が製品の美観を損ない、その使用を制限するため、ゴムバンドから望まれる効果が効果的に達成されていない。
【課題を解決するための手段】
【０００６】
本考案の構造は、すべてのディテールを完全に埋め込んでパンツのウエストバンド自体に統合し、その続きを構成しており、衣類のデザインを妨げず、しかも構成によりゴムバンドの動きがもっとも的確でもっとも広い範囲になり、パンツの変形を生じさせないようにゴムバンドを完全に自由にする弾性手段およびポケットの内部適応構造の具体化を特に考慮して開発された。
【０００７】
本考案の構造は製品が着用されているときの柔軟性を与えるが、これは主に座ったり立ったり、または自然にウエスト部位を拡張させる他の動きを行っているときに重要であり、製品の美観を一切損なわない。
【０００８】
本考案をよりよく理解するために、添付の図面を参照して、以下その詳細な説明を行う。
【図面の簡単な説明】
【０００９】
【図１】本構造を含むウエストバンドを備えた一着の衣類の一部の外側を示す拡大詳細斜視図である。
【図２】前の図と事実上同じであるが、一着の衣類の内部を示す別の斜視図である。
【図３】図１と同じであるが、ゴムバンドのうちの１つの固定した状態を図示するために、一着の衣類の一部を取り除いた斜視図を示す。
【図４】一着の衣類の一部を示す側面図であり、ゴムバンドシステムが静止位置にあり、この場合は、ウエストバンドが衣類のサイズを規定している。
【図５】前の図と同じであるが、この場合、ゴムバンドが伸長しており、大きくなったサイズを示す。
【考案を実施するための形態】
【００１０】
これらの図およびその詳細、より具体的には図１、図２および図３に従い、本実用新案の衣類用ウエストバンドの構造を提示する。本考案の顕著な特徴として、パンツ、バミューダパンツ、スカート、ドレスまたは同様な他のもののいずれであっても、通常の男性用または女性用衣類（１）が左右の両側部に、ウエストバンドを自動的に調節させるのに十分な弾性手段を含み、特に座ったり立ったり、またはウエストでの曲げを要する他の動きを行うときに、衣類を２以上のサイズに増減して、衣類を使用にとってより快適にする。
【００１１】
本考案において、通常の衣類（１）の各側部にウエストバンドを前セグメント（３ａ）および後セグメント（３ｂ）の２つのセグメントに分割している割り込み部（２）に、弾性装置が設けられる。両セグメントは各側部の２つのポケット（４）および（５）と組み合わせられており、２つ目のもの（５）が最初のもの（４）の後ろにあって、内側ポケットを構成しており、それがその内壁（６ａ）に前記内壁の上縁を２つの水平部（８ａ）および（８ｂ）に分割する「Ｖ字」切込み部（７）を有している。そこに割り込み部（２）部分が固定されており、それがウエストバンドセグメント（３ａおよび３ｂ）の重なり合う２つの延長部、内側のもの（９）および外側のもの（１０）によって規定されている。内側のものはその下縁がポケット（５）の第１水平半部または水平部（８ａ）に固定されているのに対し、外側のものは水平部（８ｂ）を構成し、他方の半部に同様に固定されている。
【００１２】
ただし、この場合、前記ポケット（５）の他の前壁（６ｂ）の上縁も固定されており、その壁（６ｂ）は「Ｖ字」切込み部（７）を覆うかまたは埋め込んでいる。延長部（９）はその自由端部が前方に向いて、同じ整列線上で伸長するゴムバンド（１１）の対応する端部と相互接続されている。そのゴムバンド（１１）の他方端部は前ウエストバンドセグメント（３ａ）の内側に固定されて、その構造は他方の外側延長部（１０）で同様に繰り返されて、その自由端部が後方に向いて、ゴムバンド（１２）が後ウエストバンドセグメント（３ｂ）の外側に同様に固定されており、その箇所に、前記ゴムバンド（１２）および外側延長部（１０）の対応する端部が埋め込まれて、小さなポケット（１３）として布地の一部の中で動く。
【００１３】
図４に図示するように、ゴムバンド（１１〜１２）の作用はウエストバンドセグメント（３ａおよび３ｂ）に対し２つの異なる効果を生じさせるように同時に起こる。
【００１４】
最初の効果は引張力（traction）（矢印Ａ）である。その効果において、重ね合わされている延長部は引張力によって反対方向（矢印Ａ）に動き、その結果、前記重ね合わされている延長部（９，１０）は「Ｖ字」切込み部（７）を閉じるように重なり合って摺動し、普通に立つときまたは歩くときなど、使用者の身体に密着した状態を維持しながら、衣類（１）が規定するサイズまでウエストを減少させるかまたは「締め付ける」。
【００１５】
しかし、そのゴムバンドの作用状態（１１，１２）は、使用者が座るときまたはウエスト部位の弛緩を要する同様な姿勢になるときには、完全に変化する。その状態では、使用者の身体が前記ゴムバンド（１１，１２）によってもたらされた力に打ち勝つ力を引き起こすため、図５に図示するように、ゴムバンド（１１，１２）は「Ｖ字」切込み部（７）を開くように伸長する。使用者のウエスト部位の拡張（expansion）は矢印Ｂによって表されており、この場合、当該拡張はウエストバンドセグメント（３ａおよび３ｂ）に作用し、その結果、両ゴムバンド（１１，１２）が伸長するとともに、延長部（９，１０）が再び摺動して衣類のサイズを増大させることが分かる。
【００１６】
その増大は自動的であり、衣類（１）が完璧に調節された状態を維持しながら、使用者のウエスト部位の拡張に追従し、またパンツを正しい形状に維持しながら、ウエストバンドおよびその隣接部分の変形を生じさせない。
【００１７】
上述した状態ＡまたはＢのいずれにおいても、ウエストバンド（３ａおよび３ｂ）は、すべての構造ディテールが埋め込まれているため、目立つことなく、衣類のデザインを妨げることなく、望ましくない性質を追加することなく事実上増減する。
【００１８】
一着の寸法の動きおよび増大は、ポケット（５）の裏地または内壁（６ａ）に作られている「Ｖ字」切込み部（７）のサイズおよび広がる角度によって規定される。その状態において、前記「Ｖ字」切込み部（７）はいくつかの服のスタイルでは変更してもよく、より広範囲の一着の寸法を可能にする。
【００１９】
提示および図示してきたものから分かるように、対象となっている目的、衣類用ウエストバンドの構造は、産業上の利用が望まれることに加えて、進歩性を伴い、使用および製造における機能的改良をもたらす新規な形態または装置も提供するため、実用新案を定義する基準に完璧に適合する。
【図１】
0003198074.tif 000003
【図２】
0003198074.tif 000004
【図３】
0003198074.tif 000005
【図４】
0003198074.tif 000006
【図５】
0003198074.tif 000007